(57)【要約】      （修正有）【課題】コネクターが相補的なコネクターに差し込まれるところの軸を選択する際の大きな自由度を持つことを可能にする。【解決手段】接触子５は別の接触子へ接続するための第１端部７、および該接触子の長手方向軸（Ｘ）に沿って該第１端部から反対方向の第２端部９を備え、該接触子は、該第１端部と、第１および第２端部の間にある中間部８とを形成している少なくとも２つの個別のアームを含み、かつ前記アームを相互に離れ及び／又は近づくように移動することを可能にするように構成されているという事実によって、および接触子の長手方向軸に対して垂直な平面へのアームの射影に沿って動く際に、２つのアームが相互に徐々に離れ傾斜するように各アーム構成されている。【選択図】図２
2012174690.tif 000002
【特許請求の範囲】
【請求項１】
コネクター（３）のための電気接触子（５）であって、該接触子は、
もう１つの接触子（５）に接続するための第１端部（７）、および
該接触子（５）の長手方向軸（Ｘ）に沿って第１端部（７）から反対方向の第２端部（９）、
を備え、
該接触子は、該第１端部（７）と、第１および第２端部（７，９）の間にある中間部（８）とを形成している少なくとも２つの個別のアーム（２０）を含み、かつ前記アーム（２０）が相互に離れ及び／又は近づくように移動することを可能にするように構成されているという事実によって、および接触子（５）の長手方向軸（Ｘ）に対して垂直な平面へのアーム（２０）の射影に沿って動く際に、２つのアーム（２０）が相互に徐々に離れて傾斜するように各アーム（２０）が構成されている事実によって特徴付けられる、上記接触子。
【請求項２】
該中間部（８）は、該接触子（５）の長手方向軸（Ｘ）を含んでいる平面内において実質的にＵ字形であり、該Ｕ字形の背部（１１）は該第２端部（９）へ接続されており、かつ該Ｕ字形の各分枝（１２）は第１端部（７）のアーム（２０）へ接続されている、請求項１に記載の接触子。
【請求項３】
各アーム（２０）及び／又は各分枝（１２）は、直線的な第１長手方向軸（Ｙ、Ｚ１）に沿って延在している少なくとも１つの部分を含み、該第１長手方向軸（Ｙ、Ｚ１）は、該アーム（２０）および該分枝（１２）の或る位置で該接触子（５）の長手方向軸（Ｘ）と一致しうる、請求項１または２に記載の接触子。
【請求項４】
各アーム（２０）は、該接触子（５）の該長手方向軸（Ｘ）に垂直な平面内で第２長手方向軸（Ｚ２）に沿って延在している少なくとも１の部分を有しており、前記部分は該第２長手方向軸（Ｚ２）が交差するように構成されている、請求項１〜３のいずれか１項に記載の接触子。
【請求項５】
該第２長手方向軸（Ｚ２）は、直線的または曲線的である、請求項４に記載の接触子。
【請求項６】
各アーム（２０）は、該接触子（５）の該第１端部（７）が該接触子（５）の該長手方向軸（Ｘ）に垂直な平面における断面においてＶ字形を与えるように構成されている、請求項１〜５のいずれか１項に記載の接触子。
【請求項７】
各アーム（２０）は、該接触子（５）の該第１端部（７）が該接触子（５）の該長手方向軸（Ｘ）に垂直な平面内において実質的にＵ字形断面を与えるように構成されている、請求項１〜５のいずれか１項に記載の接触子。
【請求項８】
各アーム（２０）は、該接触子（５）の該第１端部（７）が、該接触子（５）の該長手方向軸（Ｘ）に垂直な平面における断面において、複数の該アーム（２０）がそこでは平行である１部分によって延在されたＶ字形部分を組み合わせて備えている形状を与えるように構成されている、請求項１〜５のいずれか１項に記載の接触子。
【請求項９】
接続システムであって、該システムは、
請求項１〜８のいずれか１項に記載の少なくとも２つの接触子（５）を含み、該接触子（５）の１つの該２つのアーム（２０）は、別の接触子（５）の該２つのアーム（２０）間に配置され、かつ該２つの接触子（５）の間で接続を確実にするような仕方で該別の接触子のアームを支えるようになるという事実によって特徴付けられる、上記接続システム。
【請求項１０】
該接触子は、以下の信号、
高電力信号、無線周波信号特にマイクロ波信号、電力供給信号およびデジタル信号、
の１つを運ぶ、請求項９に記載の接続システム。
【請求項１１】
電子基板コネクターのためのハウジング（４）であって、該ハウジングは、
請求項１〜９のいずれか１項に記載の少なくとも１の電気接触子（５）を受け取るための少なくとも１の窪み部（２９）、および
別のハウジング（４）と結合するための結合部材（５０、５１）、ここで前記結合部材は、少なくとも１の第１片（５０）および少なくとも１の第２片（５１）を備え、該第１および第２片（５０、５１）は相補的な形状である、
を備える、上記ハウジング。
【請求項１２】
電子基板コネクター（３）であって、
請求項１１に記載のハウジング（４）、および
請求項１〜８のいずれか１項に記載され、かつ該ハウジング（４）に受け取られる少なくとも１の接触子（５）
を備えている、上記コネクター。
【請求項１３】
無線周波信号、特にマイクロ波信号を運ぶ少なくとも３つの接触子（６３、６４、６５）、及び／又は高電力信号を運ぶ少なくとも１の接触子、及び／又は参照接触子と組み合わされてデジタル信号を運ぶ少なくとも１の接触子を含み、及び／又は電力供給のための少なくとも１の接触子を含む、請求項１２に記載のコネクター。
【請求項１４】
２つのユニット（１）を相互に接続する方法であって、各ユニット（１）は、
電子基板（２）を含む無線周波モジュール、および
請求項１２または１３に記載のコネクター（３）
を備え、
接触子（５）の第２端部（９）は該電子基板（２）上に搭載され、そして上記方法は、該２つのユニットが、他のユニット（１）の接触子の該アーム（２０）の間に、前記接触子（５）の１つの長手方向軸（Ｘ）に平行ではない差込み軸に沿う第１の方向に、１ユニット（１）の１接触子（５）のアーム（２０）を挿入することによって相互に接続される事実によって特徴付けられる、上記方法。
【請求項１５】
該２つのユニット（１）は、前記差込み軸に沿う第１方向にユニット（１）の１つへ力（Ｆ）を加えることによって切断され、前記力は切断されるユニット（１）の前記軸に沿う第1の方向に運動を引き起こす、請求項１４に記載の方法。
【発明の詳細な説明】
【技術分野】
【０００１】
本発明は、コネクターのための電気接触子に関し、特に１つの電子基板が別の電子基板に接続されることを可能にするコネクター（また以下で「電子基板コネクター」と呼ばれる）に関する。本発明は、特に基地局装置に適用され、そのような装置は無線周波モジュールの様々なアセンブリを備えている。そのような無線周波モジュールは、様々な機能を実行するのに適する複数の電子基板を備えており、これらの電子基板は、通過する予定の信号の種類、特に高電力信号、無線周波信号またはデジタル信号に応じて、異なるコネクターによって相互に接続される。
【背景技術】
【０００２】
２つの電子基板を相互に接続するために、該基板の端部に配置された円形または矩形コネクターを利用することは知られており、該コネクターは各電子基板が延在するところの平面に平行な他の基板のコネクターに差し込まれるように構成されている。
【０００３】
公知のコネクターは、電子基板上に搭載され、そしてそこに配置された１以上のオス及び／又はメス型接触子を有する本体を備えており、該オス型の接触子および該メス型の接触子は構造的に異なっている。
【０００４】
コネクター用のそのような電気接触子の例は、米国特許第7387521号明細書、欧州特許第1624533号および米国特許第6461183号明細書の文書に記載されている。
【発明の概要】
【発明が解決しようとする課題】
【０００５】
製作が簡単であり、かつ電子基板コネクターにおいて使われるときに、無線周波モジュールの２つの電子基板を相互に接続するために、その軸に沿ってコネクターが相補的なコネクターに差し込まれるところの軸を選択する際の大きな自由度を持つことを可能にする接触子から恩恵を受けるという要求がある。
【０００６】
本発明の目的は、この要求を満たすことである。
【課題を解決するための手段】
【０００７】
そしてその局面の1つにおいては、本発明は、コネクターのための電気接触子であって、該接触子は、
もう１つの接触子に接続するための第１端部、および
該接触子の長手方向軸に沿って第１端部から反対方向の第２端部
を備え、
該接触子は、第１端部と、第１および第２端部の間にある中間部分とを形成している少なくとも２つの個別のアームを含み、かつ上記アームを相互に離れ及び／又は近づくように移動することを可能にするように構成されているという事実によって、および接触子の長手方向軸に対して垂直な平面へのアームの射影に沿って動く際に、２つのアームが相互に徐々に離れて傾斜するように各アームが構成されている事実によって特徴付けられること、
によってこの目的を達成する。
【０００８】
アームを相互に引き離しまたは近づける運動は、接触子がオス型の接触子またはメス型の接触子のどちらかとして使われることを可能にする。本発明は、「雌雄同体的」であると呼ばれうる接触子を得ることを可能にする。それ故に、本発明は、単一の部品をオス型接触子としても、およびメス型接触子としても同等によく使われるのに適することを可能にする。
【０００９】
接触子の長手方向軸は直線的でありうる。接触子の長手方向軸は、任意的に接触子の対称軸でありうる。
【００１０】
中間部は、接触子の長手方向軸を含んでいる平面において実質的にＵ字形でありえて、Ｕ字形の背部は、接触子の第２端部へ接続されており、そしてＵ字形の各分枝は第1端部のアームへ接続されている。中間部は、Ｕ字形の分枝が相互に離されまたは近づくように動かされることを可能にする弾性を示し、それ故に、接触子の第１端部を形成するアームが相互に離されまたは近づくように動かされることを可能にする。
【００１１】
各アームまたはそれぞれの各分枝は、直線状の第１長手方向軸に沿って延在している少なくとも１の部分を含み得て、該部分は、アームおよび分枝の或る位置において、接触子の長手方向軸と一致しうる。変形例においては、各アーム、または各分枝は、第１長手方向軸に全体的に沿って延在しうる。
【００１２】
以下では、用語「アームの高さ」または「分枝の高さ」は、アーム若しくは分枝の第１長手方向軸に垂直な平面における、アーム若しくは分枝の断面の長い寸法を示すために使用される。そして、用語「アームの厚さ」または「分枝の厚さ」は、アーム若しくは分枝の第１長手方向軸に垂直な同じ平面における、アーム若しくは分枝の断面の短い寸法を示すために使用される。
【００１３】
アーム若しくは分枝の高さは、アーム若しくは分枝の２つの側端部の間で測られ、この高さは、場合によっては一定であり得、またはそれと異なり、アーム若しくは分枝の第１の長手方向軸に沿って任意的に一様な仕方で変化しうる。
【００１４】
各アームは同じ高さを示しうる。各分枝は同じ高さを示しうる。
【００１５】
アーム若しくは分枝の厚さは一定であり得、またはアーム若しくは分枝の第１の長手方向軸に沿って任意的に一様な仕方で変化しうる。
【００１６】
分枝の高さは、アームの高さよりも高いことがありうる。
【００１７】
例として、アームは、該アームの高さの一部分を超えてのみ隣接する分枝へ接続されうる。
【００１８】
複数のアームは同じ厚さを示しうる。複数の分枝は同じ厚さを示しうる。アームおよび分枝の両方とも同じ厚さを示しうる。
【００１９】
分枝が同じ厚さを示すときに、高さは、中間部の背部に沿って測られた２つの分枝の間の間隔の実質的に２倍に等しくなりうる。
【００２０】
接触子の長手方向軸に垂直な平面において、各アームは第２長手方向軸に沿って延在している少なくとも１部分を有し得て、上記部分は第２長手方向軸が交差するように構成される。
【００２１】
第１端部が正確に２つのアームを有するときには、該２つの第２軸は交差する。
【００２２】
第２長手方向軸は、直線的または曲線的でありうる。２つの長手方向軸が直線的であるときには、それらの間の鋭角は、例えば０°から４５°の範囲内にありうる。
【００２３】
各アームは、接触子の長手方向軸に垂直な平面へのアームの射影に沿って動くにつれ、２つのアームが相互に次第に離れるように傾斜するように構成される。接触子の長手方向軸に垂直な平面への各アームの射影は、２つの端部を与えてよく、これらの端部の各々は上記平面への別のアームの射影の端部に向いており、そしてアームは、２つの向き合っている端部の間に備えられた開口部の寸法が、別の２つの向き合っている端部の間に備えられた開口部の寸法と異なっているように構成されうる。上記寸法の各々は、接触子が対称のときには２つの向き合っている端部の間の間隔でありえ、または接触子が対称でないときには向き合っている端部の１つと別の分枝との間の間隔でありうる。
【００２４】
各アームは、接触子の第１端部が、接触子の長手方向軸に垂直な平面における断面においてＶ字形を示すように構成されうる。そのような実施例においては、２つのアームは、接触子の長手方向軸に垂直な上記平面へのアームの射影に沿って動くにつれて、連続的な仕方で相互に次第に離れて傾斜する。本実施例においても、第２長手方向軸は直線的であり、接触子の長手方向軸に垂直な平面への各アームの全射影は、第２長手方向軸に沿って延在している。
【００２５】
別の実施例においては、各アームは、接触子の第１端部が、接触子の長手方向軸に垂直な平面において実質的にＵ字形の断面を示すように構成される。そのような実施例においては、アームは、接触子の長手方向軸に垂直な上記平面へのアームの射影に沿って動くにつれて、連続的な仕方で相互に次第に離れ、その後、アームは平行的な仕方で延在している。本実施例においては、第２長手方向軸は曲線である。
【００２６】
別の実施例においては、各アームは、接触子の第１端部が、接触子の長手方向軸に垂直な平面における断面において、２つのアームがそこでは平行に延在している１部分によって延在されたＶ字形部分を組み合わせて備えている形状を与えるように構成される。
【００２７】
接触子は、第１端部がいかなる変形力も受けないで、接触子が休止している時に、特に別の接触子に接続されていないときには、２つのアームは、そこでアームが相互に接触する少なくとも１つの領域を与えるように、構成されうる。
【００２８】
接触子の中間部は、銅ベリリウム（CuBe２）から、特に成形によって作られうる。伝導性の、例えば金のコーティングが使われうる。そのような材料の使用は、上記した弾力特性を接触子の中間部に与えるように働きうる。
【００２９】
接触子は単一片として作られることが可能であり、この接触子は中間部について上で説明したように一体的に作られうる。
【００３０】
別の本実施例においては、接触子の第１及び／又は第２端部は、中間部の材料とは異なる材料で作られうる。
【００３１】
本発明の別の局面においては、本発明はまた、上で定義されたように少なくとも２つの接触子を含み、接触子の１つの２つのアームは、別の接触子の２つのアーム間に保持され、かつ２つの接触子が相互に接続されることを確実にするような仕方でそれらのアームを支えるという事実によって特徴付けられた接続システムを提供する。
【００３２】
それ故に、同じ接触子を使う間は、本発明はオス／メス型の接続を確立することを可能にする。
【００３３】
該接触子は、以下の信号、
高電力信号、
電力供給信号、
無線周波信号特にマイクロ波信号、および
デジタル信号
のいずれをも運びうる。
【００３４】
無線周波数、特にマイクロ波接続を確立することが望まれるときには、接触子の３対が使用されうる。
【００３５】
デジタル接続を確立することが望まれるときには、接触子の少なくとも１対が、恐らくは１の参照対を形成しているもう１対を伴って使用される。
【００３６】
単一の接続システムは、相互に接続される接触子の数個の対、そのうちの少なくとも１対は所与の信号の型に専用されており、例えば無線周波信号、特にマイクロ波を通すための３対、電力供給信号を通すための少なくとも１対、高電力信号を通すための少なくとも１対およびデジタル信号を通すための少なくとも１対を、参照対と組み合わせて含みうる。
【００３７】
別の局面においては、本発明は電子基板コネクターのためのハウジングを提供し、該ハウジングは、
少なくとも１の電気接触子を受けるための少なくとも１の窪み部、および
別のハウジングと結合するための結合部材、ここで前記結合部材は少なくとも１の第１片および少なくとも１の第２片を備え、該第１および第２片は相補的な形状である、
を備えている。
【００３８】
結合部材によって、各ハウジングは、オス型の結合片とメス型の結合片を有しうる。そしてハウジングが、同一である別のハウジングに結合されるときには、各ハウジングのオス型結合片は、もう一方のハウジングのメス型結合片と協働する。
【００３９】
これは、雌雄同体的ハウジングを得るように働く。
【００４０】
例としては、結合片は、ハウジング内またはハウジング上に配置された浮き彫りにおける部分でありうる。結合片は、ハウジングに取り付けられた接続金具でありうる。
【００４１】
結合片は、ハウジングをコーディングするための手段を持ちえて、そのようなコーディング手段は、ユーザがそれに適合する用途のためにハウジングを使うことを可能にする。
【００４２】
例えば、各ハウジングは、１のみの第１結合片および１のみの第２結合片を有しうる。そのような環境においては、第１結合片および第２結合片は、ハウジングの各々反対の端部に配置されうる。
【００４３】
各結合片は、ハウジングの面の全てまたは部分に沿って、例えば、直線軸に沿って延在しうる。
【００４４】
ハウジングは、プラスチック材料で作られうる。そのようなハウジングは、そに中に受け取られた接触子へ機械的な保護を提供しうる。そして、複数の接触子が受け取られるときには、ハウジングは接触子の間の電気絶縁を提供するよう働きうる。
【００４５】
ハウジングが別のハウジングに接続されるときには、金属カバーが両方のハウジングにまたがって配置されえて、それによって、２つの相互接続されたハウジングの全体または部分のための電気的遮蔽を提供している。別の実施例においては、電気的遮蔽は、各ハウジングの全体または部分を金属メッキすることによって得られうる。例として、該遮蔽は、コネクターのマイクロ波部分にわたって備えられうる。
【００４６】
別の局面においては、本発明はまた、
ハウジング、および
上で定義したように少なくとも１つの接触子、ここで該接触子は該ハウジング内に受け取られ、かつ該接触子の第１端部は該ハウジング内の開口部に好ましくは配置されうる、
を備える、電子基板コネクターを提供する。
【００４７】
コネクターは、無線周波信号、特にマイクロ波信号を通す少なくとも３つの接触子、及び／又は高電力信号を通す少なくとも１の接触子、及び／又は参照接触子と組み合わされてデジタル信号を通す少なくとも１の接触子、及び／又は電力供給用の信号を通す少なくとも１の接触子、を有しうる。そのようなコネクターは、電力供給を運ぶように、および２つの電子基板の間の通信信号を通すように、働きうる。
【００４８】
例としておよび場合により別の接触子との組み合わせにおいて、コネクターが、マイクロ波信号を運ぶ３つの接触子を有することが可能であり、それ故に、コプレーナーマイクロ波接続マッチング（共平面マイクロ波接続整合）を容易にする。
【００４９】
ハウジングは、上で定義したようでありえ、接触子およびハウジングの全てが雌雄同体的であるときには、雌雄同体的コネクターを得ることを可能にする。
【００５０】
雌雄同体的ハウジングは、２つの隣接する垂直材の間の各窪み部が２つの接触子を受け取るような仕方で配置された個々の窪み部を分離する垂直材を有しうる。
【００５１】
ハウジングを伴う２つのコネクターが相互に接続されるときには、１のハウジング内に配置された隣接接触子は、上記接触子およびそれに結合されたコネクターのハウジングの全てを通る該ハウジングの垂直部材によって、相互に分離される。
【００５２】
本発明の別の局面においては、発明はまた、
電子回路基板を含む無線周波モジュール、および
上で定義されたようなコネクター、ここで接触子の第２端部は電子基板上に搭載されている、
を備えるユニットを提供する。
【００５３】
本発明の別の局面においては、発明はまた、上で定義されたような２つのユニットを相互に接続する方法を提供し、該方法は、２つのユニットが、前記接触子の１つの長手方向軸に平行ではない差込み軸に沿う第１の方向に、１ユニットの１接触子のアームを他のユニットの接触子のアームの間に挿入することにとって相互に接続される、という事実によって特徴付けられる。
【００５４】
２つのユニットは、上記差込み軸に沿う第１の方向に、ユニットの１つに力を加えることによって、上記力が切断されるユニットの上記軸に沿って第１の方向の運動を導くことにより、切断されうる。
【００５５】
差込み軸は、接触子の１つの長手方向軸と、ゼロでない鋭角、例えば０°よりも大きく９０°以下である角度を形成しうる。
【００５６】
各接触子の中間部の弾力特性の故に、および２つの接触子が相互に接続されるときには、２つの接触子のアームの間の重複した領域の故に、接触子の第２端部がそこに接続されているところの電子基板の如何なる誤整合または不整合も、信号を通すために、任意の方向に補償されうる。そのような誤整合は、任意の方向に０．６ｍｍ以下でありうる。
【００５７】
一度、２つの無線周波モジュールが相互に接続されてしまうと、ユニットの電子基板は同じ平面に留まりうる。
【００５８】
２つのユニットを接続および切断する操作が行われる方向および順番は、ランダムでありえ、そして接続が確立される速さまたは接続の信頼性に何らの影響も及ぼさない。すなわち、第１ユニットを第２ユニットへ接続するために、第１ユニットへ力が加えられ得、そして第２ユニットから第１ユニットを切断するために、同じ第１ユニットへ力が加えられ得、または、上記切断力は第２ユニットへ加えられうる。２つのユニットを相互に接続するために加えられる力およびそれらを切断するために加えられる力は、同じ軸に沿いかつ同じ方向に、または同じ軸に沿いかつ反対の方向でありえる。そして切断されたユニットは、同じ軸に沿って同じ方向に、または接続のためのユニットに対して反対方向に移動を受け得る。
【００５９】
本発明は、これらの実施形態（これに限定する意図はない）の以下の記載を読むことおよび添付された図面を検討することによって、より良く理解されうる。
【図面の簡単な説明】
【００６０】
【図１】本発明の１実施態様における２つのユニットの１実施例を示す説明図である。
【図２】図１の各ユニットの接触子を分離して示す斜視図である。
【図３】図２の方向3に沿って見る接触子の平面図である。
【図４】図３の方向4に沿って見る接触子の側面図である。
【図５】本発明のもう一つの実施態様における接触子を分離して示す斜視図である。
【図６】図２の接触子が長手方向軸（Ｘ）を平行にして相互接続される１段階を示す正面図である。
【図７】図２の接触子が長手方向軸（Ｘ）を鋭角にして相互接続される１段階を示す正面図である。
【図８】図７の斜視図である。
【図９】図５の接触子が相互に接続された状態での斜視図である。
【図１０】図５の接触子が相互に接続された状態での側面図である。
【図１１】本発明の複数のコネクターの実施態様を示す斜視図である。
【図１２】図１３のコネクターの分離したハウジングを示す斜視図である。
【図１３】本発明の複数のコネクターの実施態様を示す平面図である。
【図１４】図１の接触子の別の実施例を示す斜視図である。
【図１５】図１の接触子の別の実施例を示す斜視図である。
【図１６】図５の接触子の別の実施例を示す斜視図である。
【図１７】図１３のコネクターが相互に接続されたときのコネクターを備える２つのユニットを示す斜視図である。
【発明を実施するための形態】
【００６１】
図１は、全体として参照符号１を与えられるユニットの１実施例を示している。ユニット（１）は、その上に搭載されたコネクター（３）を伴う電子基板（２）を有している無線周波モジュールを備えている。該コネクター（３）は、全体として参照符号５を与えられる１以上の接触子をもつハウジング（４）を備えている。
【００６２】
コネクター（３）は、もう１つのユニット（１）の相補的な型のコネクターに接続されるように構成されている。接触子（５）の第１の実施例は、図２〜４に一層詳細に示される。
【００６３】
記載された実施例の接触子（５）は、「形成」された（すなわち、シートから切り出されロールされた）、銅ベリリウムの単一片として作られている。接触子（５）は、本実施例においては直線状である長手方向軸（Ｘ）に沿って延在している。この軸（Ｘ）に沿って、接触子（５）は、第１端部（７）、中間部（８）および第２端部（９）を順次備えている。
【００６４】
図１において分かるように、接触子（５）の第２端部（９）は、接触子（５）がコネクター（３）のハウジング（４）内に置かれるときに、電子基板（２）上に搭載される。第２端部（９）は、例えば、中間部（８）へ接続されたカーブした部分（１０）を除外して、軸（Ｘ）に平行に延在しているタブの形状でありうる。
【００６５】
記載されたこの実施例の中間部（８）は、接触子の長手方向軸（Ｘ）を含んでいる平面内で観察されるときに、実質的にＵ字形である。図２〜４の実施例における中間部（８）は、カーブした部分（１０）を介してそこに第２端部（９）を接続している背部（１１）を持つ。背部（１１）は、接触子（５）の長手方向軸（Ｘ）に実質的に垂直に延在している。
【００６６】
中間部（８）はまた、第１長手方向軸（Ｙ）に沿って、背部（１１）から第１端部（７）まで延在する２つの分枝（１２）を有している。
【００６７】
接触子、または適当な場合には中間部（８）のみを作るために選択された材料は、接触子（５）の軸（Ｘ）と第１長手方向軸（Ｙ）との間で定義された角度αを変化させることを可能にする。例として、中間部（８）は、角度αが０°から３０°の範囲に渡って変化しうるように構成されている。
【００６８】
各分枝（１２）は、軸（Ｙ）に沿って進むときに実質的に一定である厚さ及び／又は高さを示しうる。各分枝（１２）の高さ（ｈ）は、その間では各分枝（１２）が第１長手方向軸（Ｙ）に対して垂直な平面内に延在しているところの２つの側面端部（１４）の間で測られる。
【００６９】
各分枝（１２）は同じ形状を示しえて、例として、各分枝（１２）の高さ（ｈ）は、１ｍｍ〜５ｍｍの範囲に入りうる。
【００７０】
分枝（１２）の厚さは、２つの別の端部（１５）（それら間に各分枝（１２）が第１長手方向軸（Ｙ）に対して垂直な平面内に延在している）との間で測られ、０．１５ｍｍ〜０．４ｍｍの範囲に入っている。
【００７１】
各分枝（１２）は、アーム（２０）へ接続された、背部（１１）から反対方向の端部を有しており、そして２つのアーム（２０）は、接触子（５）の第１端部（７）を形成している。分枝（１２）とアーム（２０）との間の接続は、各分枝（１２）の第１長手方向軸（Ｙ）に対する角度を作る部分（２２）を使うことによって得られうる。
【００７２】
図２〜４の実施例においては、各アーム（２０）は、第１長手方向軸（Ｚ１）に沿って、該部分（２２）から接触子（５）の前面を形成している丸められた領域（２７）に向かって延在している。
【００７３】
接触子（５）の静止位置に置いては、すなわち接触子が相補的な接触子によって及ぼされるようないかなる力も受けないときには、アーム（２０）の第１長手方向軸（Ｚ１）は、もう１つのアーム（２０）の第１長手方向軸（Ｚ１）に平行でありうる。そしてこれらの２つの軸（Ｚ１）は、接触子（５）の長手方向軸（Ｘ）に対して平行でありうる。
【００７４】
加えて、接触子（５）のこの静止位置においては、２つのアーム（２０）は、それらが相互に接触しているところの少なくとも１の領域（２６）を与えうる。
【００７５】
図４において分かるように、接触子（５）の軸（Ｘ）に垂直な平面において、各アーム（２０）の上記平面への射影は、全面的または部分的に第２の長手方向軸（Ｚ２）に沿って２つの端部（２５）の間に延在しうる。そして一つのアーム（２０）の軸（Ｚ２）および他のアーム（２０）の軸（Ｚ２）が交差し、その結果、第１端部（７）が軸（Ｘ）に垂直な該平面内において断面においてＶ字形を示す。各アーム（２０）の１側端部（２５）から別の側端部へ、アームは相互に離れるように広がりうる。
【００７６】
図５は、本発明の別の実施態様における接触子（５）を示している。
【００７７】
図３および４の実施態様と違って、各アーム（２０）の軸（Ｘ）に対して垂直な平面上への射影は、端部（２５）から、部分（４０）に沿ってのみ、第２の長手方向軸（Ｚ２）に沿って延在する。この部分（４０）における接触子（５）の第１端部（７）は上記平面内の断面でＶ字形を示している。各部分（４０）は、アーム（２０）がアームの部分（４１）に平行に延在するようにこれらの部分（４１）によって、他の端部（２５）まで延在させられる。
【００７８】
図５の実施態様においては、アーム（２０）と分枝（１２）は、その高さの一部においてのみ相互に接続され、スロット（４２）が、各分枝（１２）の高さの一部において配置されている。アームの部分（４１）は、分枝（１２）の一部分と直線的に延在している。一方、スロット（４２）は部分（４０）に全て沿って配置される。
【００７９】
例として、図５に示された接触子（５）は、以下の寸法を示す。各分枝（１２）の高さ（ｈ）は１ｍｍ〜５ｍｍの範囲に入っており、２つの分枝（１２）の間で測られた背部（１１）の長さは、１．５ｍｍ〜３ｍｍの範囲に入り、第２の長手方向軸（Ｚ２）の間で形成された鋭角は、０°〜４５°の範囲に入っている。
【００８０】
図示されていない別の実施態様においては、各アームは、曲線の第２の長手方向軸に沿って延在している部分を有しており、そして第１端部（７）は、軸（Ｘ）に垂直な上記平面において、実質的にＵ字形である断面を与える。
【００８１】
接触子（５）が対称である上述した実施態様の全てにおいて、制限的でない実施例として、向き合っているアーム（２０）の端部（２５）間で測られた間隔（ｄ）は、長手方向軸（Ｘ）に垂直な平面へのアーム（２０）の各々の射影の１端部と他端部とでは異なる。
【００８２】
例えば、図５において分かるように、接触子（５）が休止しているときには、この間隔（ｄ）は、向き合っている端部（２５）の２つの間でゼロまたは非常に小さくありえ、そして他の２つの向き合っている端部（２５）の間で顕著により大きくありうる。
【００８３】
図６〜１０を参照して、どのようにして接触子（５）が使われうるのかの実施例の記載がこれから続く。
【００８４】
接触子は、無線周波信号、特にマイクロ波信号またはデジタル信号、または電力供給信号または高電力信号を運ぶために同じようによく使用されうる。
【００８５】
図６において分かるように、図２〜４を参照してまたは図５を参照して記載された接触子は、２つの全く等しい接触子（５）、すなわちメス型接触子として動作する１つとオス型接触子として動作する別の接触子とを使うことによって、接続システムを作るために使われうる。１の接触子（５）と別の接触子との接続は、接触子の１つの２つのアーム（２０）を別の接触子の複数のアーム（２０）の間に挿入することによってなされる。中間部（８）及び／又はアーム（２０）自身の弾力性の故に、およびまたそれらの間のかなりの隙間の故に、上記アーム（２０）を挿入することは可能である。それ故に、別の接触子（５）の２つのアーム（２０）がこれら２つのアームの間に受け取られ、それらに対して押し付けることを可能にするように、接触子（５）の２つのアーム（２０）を相互に十分に引き離すことは可能である。
【００８６】
図６においては、２つの接触子（５）は、接触子の各々の長手方向軸（Ｘ）に垂直な差込み軸に沿って接続される。一方、図７および８の実施例においては、差込み軸は、接触子の１つの長手方向軸（Ｘ）に平行でありかつもう１つの接触子の長手方向軸との間でゼロでない鋭角を形成する。
【００８７】
図９および１０は、接続された状態での、図５の接触子（５）を示している。
【００８８】
図１１に示されるように、コネクター（３）は、複数の接触子（５）を備えることが可能であり、これらの接触子はハウジング（４）内に受け取られている。各接触子（５）は、ハウジング（４）内の窪み部（２９）に配置されえて、その結果、各接触子（５）の第１端部（７）は、ハウジング（４）に形成された開口部（３０）内に置かれて、窪み部（２９）と連絡している。
【００８９】
図１１の実施態様においては、コネクター（３）は、様々な種類の信号を通すように専用に設けられた複数の接触子を有している。接触子（５）の第１のグループ（３１）は、例えば、高電力信号を運ぶために働き、一方、接触子（５）の第２のグループ（３２）は、無線周波信号、特にマイクロ波信号を運ぶために働き、そして接触子（５）の第３のグループ（３３）は、デジタル信号を運ぶために働く。
【００９０】
図１１の実施態様においては、３つの異なるグループが提供され、そしてグループ（３１）および（３３）は、２つの接触子（５）を各々有し、一方、グループ（３２）は、３つの接触子を有している。しかし本発明は、いかなる所定のグループ数を伴うコネクターにも限定されることはなく、そしてデジタル信号、高電力信号または電力供給信号を運ぶグループ内において、いかなる所定の接触子（５）数にも限定されることはない。
【００９１】
隣接する２つの開口部（３０）は、ハウジング（４）の垂直材（３５）および（３６）によって分離されうる。図１１の実施態様においては、垂直材（３５）および（３６）は、異なった形状であり、垂直材（３５）は、接触子がハウジング（４）内に置かれているときには、接触子（５）の第１端部（７）を超えて延在している。一方、垂直材（３６）は、接触子（５）の第１端部（７）から後退されている。図１１に示された種類のコネクターを含んでいる２つのユニット（１）が相互に接続されるときには、第１ハウジングの垂直材（３６）は別のコネクターのハウジングの垂直材（３５）と協働する。図１２の実施形態においては、垂直材（３５）は、他のコネクター（３）のハウジング（４）の開口部（３０）と協働し、そしてコネクター（３）の各接触子（５）は、絶縁性垂直材（３５）により隣接接触子から分離される。垂直材（３５）はハウジング（４）の１つまたは他方に属している。
【００９２】
図１１の実施態様においては、ハウジング（４）は、他のコネクター（３）のハウジングへ結合するための部材を有していない。
【００９３】
本発明は、図１２および１３に見られうるような実施態様に限定されない。
【００９４】
これらの図においては、ハウジング（４）は２つの反対の端部で、結合片（５０）および（５１）を備えられている。オス型の第１結合片（５０）がハウジングの１端部に配置されており、一方、メス型の第２結合片（５１）は、ハウジングの他の端部に配置されている。本実施形態におけるこれらの結合片（５０）および（５１）は、もしそれらがハウジング（４）に固定されていない場合にそれらは相互に結合されうるような、相補的形状である。
【００９５】
図１２に示されたように、ハウジング（４）の各端部で、対応する結合片（５０）または（５１）は、空洞（５３）を備えるハウジング（４）内に嵌め込まれる。
【００９６】
第１結合片（５０）は、ハウジング（４）から局所的に突出しており、そして第１結合片（５０）は、２つのハウジング（４）が相互に接続されるときには、別のハウジング（４）に面するハウジングの面（５５）に全て沿って延在しうる。第１結合片（５１）は、ハウジング（４）から離れていくにつれて、離れそしてその後近づく面（５７）によって延在されている、ハウジング（４）を伴う接続領域（５６）を提供しうる。
【００９７】
図１２の実施態様においては、第２結合片（５１）は、外側に開いておりかつ接続領域（５６）を受け取るのに適した領域（５８）を与えているスロット形状である。領域（５８）は、第１結合片（５０）の面（５７）の形状に相補的な形状の面（５９）を有する領域によって、スロットの内側方向へ延在されている。
【００９８】
図１２のハウジング（４）における２つの開口部（３０）は、垂直材（３５）によって分離され、該垂直材（３５）は、コネクターが取り扱われる間、接触子（５）を保護するために前方への伸長（６０）を与える。
【００９９】
図１３は、そこに搭載された接触子（５）を備えた図１２のハウジングの正面図である。接触子（５）の４つのグループは、ハウジング（４）内に受けられる。記載された実施態様においては、接触子（５）の配置は、中央接触子（６３）並びに両側に配分された接地を形成する接触子（６４）および（６５）から作られたマイクロ波部（６２）を提供する。
【０１００】
図１で分かるように、本発明においては、ユニット（１）は、各接触子の長手方向軸に垂直である差込み軸に沿って別のユニット（１）へ接続されえ、および各ユニットの電子基板（２）が延在するところの平面へ接続されうる。
【０１０１】
ユニット（１）は、同じ差込み軸と方向に沿って向けられた複数のユニット（１）の１つに力Ｆを加えることによって別のユニットから切断されることができ、従って、該ユニット（１）は、もう１つのユニット（１）へ接続されるとき、およびそれから切断されるときには、同じ軸に沿ってかつ同じ方向に動かされる。
【０１０２】
図１の実施態様と比較すると、図１４の実施態様は、２つユニット（１）が、図１の同じ差込み軸に沿ってまたは反対方向に力Ｆを加えることによって、接続されまたは切断されうることを示している。
【０１０３】
図１５で分かるように、本発明は、相互に平行に前以て配置された電子基板（２）を有している接続ユニット（１）に限定されない。接続は、接続のための少なくとも１の接触子（５）の長手方向軸と９０°と等しくはなくゼロでない鋭角をなす差込み軸に沿って力を加えることによって得られうる。接続操作の間、相互に接続のための２つのユニットの電子基板は、平行でない２つの平面内に延在することができ、そして差込み軸は、電子基板（２）の１つが延在している平面に対して、０°よりも大きく９０°未満、特に約４５°である角度でありうる。
【０１０４】
図１６および１７の実施態様においては、コネクター（３）は、図５に示されたように接触子（５）を有し、そして図１２および１３に示されたようにハウジング（４）を有している。
【０１０５】
２つのコネクター（３）が相互に接続されるときには、図１７に示されたように、遮蔽金属カバー（７０）は、ハウジング（４）にまたがって、例えば中央部分の上に搭載されうる。該カバー（７０）は、特に、マイクロ波部（６２）のような部分が存在するときには、それを被覆するために装備されうる。別の実施例として、遮蔽は、ハウジングがプラスチック材で作られているときには、ハウジング（４）を、少なくともそのマイクロ波部（６２）を金属メッキすることによって得られうる。
【符号の説明】
【０１０６】
１        ユニット
２        電子基板
３        コネクター
４        ハウジング
５        接触子
７        第１端部
８        中間部
９        第２端部
１１        背部
１２        分枝
１４        側端部
２０        アーム
【図１】
2012174690.tif 000003
【図２】
2012174690.tif 000004
【図３】
2012174690.tif 000005
【図４】
2012174690.tif 000006
【図５】
2012174690.tif 000007
【図６】
2012174690.tif 000008
【図７】
2012174690.tif 000009
【図８】
2012174690.tif 000010
【図９】
2012174690.tif 000011
【図１０】
2012174690.tif 000012
【図１１】
2012174690.tif 000013
【図１２】
2012174690.tif 000014
【図１３】
2012174690.tif 000015
【図１４】
2012174690.tif 000016
【図１５】
2012174690.tif 000017
【図１６】
2012174690.tif 000018
【図１７】
2012174690.tif 000019
【外国語明細書】
2012174690000001.pdf
2012174690000002.pdf
2012174690000003.pdf
2012174690000004.pdf